(57)【要約】【課題】植付装置を支持するスタンドとして、輸送スタンドと接地スタンドが別個に構成され、構造が複雑であると共に取扱いが面倒である。【解決手段】植付装置９のフレーム体２９，３０の左右に支持筒３２を固定し、該支持筒３２にスタンド杆３７を上下方向に移動自在に支持する。スタンド杆３７を下方に移動した使用位置にて位置決め固定し、接地スタンドとする。スタンド杆３７を上方に移動した格納位置で位置決め固定して格納する。上記使用位置にあるスタンド杆３７の下端部を連結プレート４５で固定して、輸送スタンドとする。【選択図】図４
2019176843.tif 000002
【特許請求の範囲】
【請求項１】
走行機体に移植装置を昇降自在に支持した移植機において、
前記移植装置のフレーム体の左右位置に支持筒を固定し、これら支持筒にスタンド杆を上下方向に移動自在にかつ使用位置及び格納位置に位置決め自在に支持し、
前記左右のスタンド杆の下端部同士を連結プレートで連結及び該連結プレートを取外し自在とした、
ことを特徴とする移植機。
【請求項２】
前記左右のスタンド杆の下端部にＬ字状の接地プレートを固定し、
前記左右のスタンド杆を前記使用位置に位置決めした状態において、前記接地プレートの立上り部が内側で対向する状態で、これら立上り部の間に前記連結プレートを取付け可能とした、
請求項１記載の移植機。
【請求項３】
前記支持筒の上部に、上面にＶ字溝を有する受け部を設け、
前記スタンド杆に抜止め用ピンを抜差し可能に取付け、
前記スタンド杆に抜止め用ピンを差込んだ状態で該抜止め用ピンが前記受け部のＶ字溝に係合して、前記接地プレートの立上り部が内側で対向するように位置決めされてなる、
請求項２記載の移植機。
【発明の詳細な説明】
【技術分野】
【０００１】
本発明は、乗用田植機等の移植機に係り、詳しくは植付装置等の移植装置を支持するスタンドに関する。
【背景技術】
【０００２】
一般に、乗用田植機は、運送時に昇降リンク機構により下降させた植付装置を、荷台の床面に接地させて支持する輸送時用の輸送スタンドと、植付作業の休止時や機体保管時に使用する接地スタンドとを有している（特許文献１参照）。上記輸送スタンドは、横フレームの左右端部に着脱自在に固定された第１スタンドと、該第１スタンドにスタンド切換機構によりスタンド姿勢と格納姿勢に切換え自在な第２スタンドとからなり、該第２スタンドをスタンド姿勢にした状態で、第１スタンドと第２スタンドが直線状態となり、植付装置の最大巾部が輸送用車両の荷台のアオリ板の高さより高い位置となるように植付装置を支持する。
【先行技術文献】
【特許文献】
【０００３】
【特許文献１】特開２００７−２４４３３３号公報
【発明の概要】
【発明が解決しようとする課題】
【０００４】
上述したスタンドは、輸送スタンドと接地スタンドの２種類の別個のスタンドを有し、更に輸送スタンドは、第１スタンドと第２スタンドからなる複雑な構成からなり、コストアップの原因となっている。また、輸送スタンドは、左右の第２スタンド先（下）端を横支持杆（接地杆）で連結しており、輸送スタンドの接地面を増大して植付装置を安定して支持し得るが、例えば整地装置や施肥用ノズルを有する場合、これら装置（部材）と干渉して設置困難となる。
【０００５】
また、輸送スタンドは、乗用田植機の車両による輸送時に横フレームに取付けて固定するものであり、植付作業時や機体保管時には取外して別途保管する必要があり、取扱いが面倒である。
【０００６】
そこで、本発明は、接地スタンドであるスタンド杆を昇降自在とすると共にその下端部に連結プレートを取付けることにより輸送スタンドとし、もって上述した課題を解決したスタンドを備えた移植機を提供することを目的とするものである。
【課題を解決するための手段】
【０００７】
本発明は、走行機体（５）に移植装置（植付装置）（９）を昇降自在に支持した移植機（乗用田植機）（１）において、
前記移植装置のフレーム体（２９，３０）の左右位置に支持筒（３２）を固定し、これら支持筒にスタンド杆（３７）を上下方向に移動自在にかつ使用位置及び格納位置に位置決め自在に支持し、
前記左右のスタンド杆（３７）の下端部同士を連結プレート（４５）で連結及び該連結プレートを取外し自在とした、
ことを特徴とする移植機にある。
【０００８】
好ましくは、前記左右のスタンド杆（３７）の下端部にＬ字状の接地プレート（４１）を固定し、
前記左右のスタンド杆（３７）を前記使用位置に位置決めした状態において、前記接地プレート（４１）の立上り部（４１ａ）が内側で対向する状態で、これら立上り部（４１ａ）の間に前記連結プレート（４５）を取付け可能とした。
【０００９】
前記支持筒（３２）の上部に、上面にＶ字溝を有する受け部（３６）を設け、
前記スタンド杆（３７）に抜止め用ピン（３５）を抜差し可能に取付け、
前記スタンド杆（３７）に抜止め用ピン（３５）を差込んだ状態で該抜止め用ピンが前記受け部（３６）のＶ字溝に係合して、前記接地プレート（４１）の立上り部（４１ａ）が内側で対向するように位置決めされてなる。
【００１０】
なお、上記カッコ内の符号は、図面と対照するためのものであるが、これにより特許請求の範囲の記載に何等影響を及ぼすものではない。
【発明の効果】
【００１１】
本発明によると、移植装置のフレーム体に固定した支持筒にスタンド杆を上下方向移動自在に支持し、該スタンド杆を下方に移動した使用位置に位置決めして、作業休止時及び保管時に用いる接地スタンドとし、該スタンド杆を上方に移動した格納位置に位置決めして、移植装置にスタンド杆を格納した状態で移植機の作業を行うことができ、取扱いが簡単、容易である。また、輸送時には、使用位置にあるスタンド杆の下端部同士を連結プレートで連結して、輸送スタンドとすることができ、該輸送時にのみ上記連結プレートを取付けるので、施肥ノズル及び整地装置を備えたものでも、これらに干渉することなく、連結プレートで連結した強度の高いスタンドで移植装置を安定して支持することができる。
【００１２】
前記左右のスタンド杆の下端部にＬ字状の接地プレートを固定すると、比較的広い接地面積でスタンド杆を接地し、安定して移植装置を支持することができると共に、上記Ｌ字状の接地プレートの立上り部が互いに内側で対向する状態で、両立上り部の間に前記連結プレートを前方から挟み入れる又は引出すことにより容易に取付け取外しを行うことができる。
【００１３】
前記支持筒に設けた受け部のＶ字溝に抜止め用ピンを係合することにより、スタンド杆の抜止めを行うと共に、スタンド杆の上方又は下方移動時、接地プレートが整地装置等に干渉することを避けるために回動して退避した状態でも、格納位置又は使用位置にあっては、上記抜止め用ピンがＶ字溝に係合してＬ字状の接地プレートを、その立上り部が対向する正規の位置となり、上記連結プレートの取付けを容易とすると共に、位置決め用ピンの孔合せ等のスタンド杆の位置決めを容易に行うことができる。
【図面の簡単な説明】
【００１４】
【図１】本発明を適用した乗用田植機を示す側面図。
【図２】乗用田植機のスタンド部分を示す拡大側面図。
【図３】上記スタンド部分を示す拡大正面図。
【図４】上記スタンド部分を示す斜視図。
【図５】上記スタンドを縮めた状態を示す斜視図。
【発明を実施するための形態】
【００１５】
以下、図面に沿って、本発明の実施の形態について説明する。移植機である乗用田植機１は、図１に示すように、前輪２及び後輪３で支持される走行機体５を有しており、該走行機体５の後方にはリンク機構６及び油圧シリンダ７により植付装置（移植装置）９が昇降自在に支持される。走行機体５は、前部にエンジン、施肥タンク１０及び予備荷台１１を有し、後部に運転席１２が設けられている。上記植付装置９は、苗のせ台１３、複数（４個）のプランタ１５及び複数（３個）のフロート１６を有し、更に上記施肥タンク１０から供給される肥料を施肥する複数の施肥ノズル１７が設けられている。
【００１６】
また、走行機体５の後輪３と植付装置９との間に整地装置２０が配置されており、該整地装置２０は、多数の整地板を周面に取付けた整地ローラ２１を有しており、該整地ローラ２１は、植付装置９に上下位置を調節自在に支持され、かつ走行機体５から動力が伝達される。また、整地ローラ２１とフロート１６の先端との間にスタンド２２が配置される。
【００１７】
植付装置９の前部には、図２〜図５に示すように、上記リンク機構６に連結するマウントに揺動シャフト２５を介して揺動自在かつ水平となるようにスプリングで付勢されて支持されるドライブケース２６が配置され、該ドライブケース２６には植付ＰＴＯ軸２７により走行機体５から動力が伝達されている。ドライブケース２６には横フレーム２９が連結されると共に複数（２個）のプランタケース３０が連結されており、上記苗のせ台１３及び各プランタ１５が駆動される。横フレーム２９には各ブラケットを介して上記フロート１６の前部が支持されている。上記プランタケース３０及び横フレーム２９にボルトにより支持ブラケット３１が左右２箇所に固定されている。各支持ブラケット３１は１対のプレートからなり、Ｔ字状の中央フロート（感知フロート）１６ｃとＵ字状の左右のフロート（整地フロート）１６ｌ、１６ｒの間の隙間部分Ｃに対応して配置される。なお、上記支持ブラケット３１は、上記プランタケース３０及び横フレーム２９に限らず、ドライブケース２６を始めとして植付装置９において直接又はブラケットを介して互いに一体に連結されているフレーム体に固定されていればよい。
【００１８】
左右１対の支持ブラケット３１の各間にはそれぞれ円筒形の支持筒３２が溶接により固着して配置されている。各支持筒３２は、上下方向が長手方向になっており、その中間部の支持ブラケット３１による固着部分に位置決め用ピン３３のためのピン孔が左右方向に貫通して形成されており、その上端部に抜止め用ピン３５のための受け部３６が固定されている。上記支持筒３２にはそれぞれスタンド杆３７が貫通して保持されており、該スタンド杆３７は、所定長さの中空円筒部材（パイプ材）からなり、その下部分に格納用ピン孔３８及び下部抜止め用ピン孔３４が、上部分に位置決め用のピン孔３９及び抜止め用のピン孔４０がそれぞれ形成されている。
【００１９】
上記スタンド杆３７の下端には比較的前後方向に長いＬ字状の接地プレート４１が溶接により固着されており、該接地プレート４１の立上り部４１ａには前後２個のボルト４２用の孔が形成され、その内側面にナット４３が溶接されている。
【００２０】
上記両接地プレート４１，４１の内側面の間隔と略同じ長さの連結プレート４５が用意される。該連結プレート４５は、上記接地プレート４１と同じ幅（前後長さ）からなり、左右端が上方に立上った立上り部４５ａ，４５ａを有するプレート材からなり、立上り部に上記ボルト４２用の孔が形成されている。該連結プレート４５は、上記両接地プレート４１，４１の立上り部４１ａ，４１ａ間に上記ボルト４２にて固定した状態にあって、連結プレート４５と接地プレート４１とは一体となって輸送スタンドとなる。該連結プレート４５を取外した状態にあって、スタンド杆３７，３７は、接地スタンドとなる。上記スタンド杆３７及び連結プレート４５等で上記スタンド２２が構成される。
【００２１】
本乗用田植機１のステップ２２は、以上のような構成からなるので、乗用田植機１をトラック等の車台に載せて輸送する際、図２〜図４に示すように、スタンド杆３７，３７を下方に降ろして位置決めして連結プレート４５を取付ける。即ち、左右のスタンド杆３７の上端の孔４０に抜止め用ピン３５を貫通して支持筒３２の受け部３６に当接する。受け部３６の上面はＶ字溝になっており、該Ｖ字溝にピン３５が受けられることにより、スタンド杆３７の抜止めが図れると共に、スタンド杆３７の回動方向の向きが、Ｌ字状の接地プレート４１の立上り部４１ａが互いに対向するような方向に位置決めされる。更に、位置決め用ピン３３を支持筒３２のピン孔及びスタンド杆３７のピン孔３９に貫通して位置決めされる。なお、位置決め用ピン３３の差込み操作は、スタンド杆３７の回動方向位置決めにより支持筒３２及びスタンド杆のピン孔が整合しているので容易である。この状態で、互いに対向している接地プレート４１の立上り部４１ａの間に、前方向から連結プレート４５を挟み入れ、ボルト４２を整列している孔に貫通してナット４３に螺合して連結プレート４５を固定する。
【００２２】
該連結プレート４５を連結したスタンド２２は、輸送スタンドとなる。該輸送スタンドにあっては、左右のスタンド杆３７，３７の下端を連結プレート４５で連結しているので、プランタケース３０部分（フレーム体）に取付けられた支持筒３２と相俟って、枠体構造からなる高い強度からなり、輸送時に衝撃が作用しても植付装置９を安定して支持をする。また、輸送時にのみに上記連結プレート４５を取付けるので、施肥ノズル１７や整地装置２０等干渉することはなく、植付装置９を荷台等に当てることなく安定して支持する。
【００２３】
輸送時以外は、連結プレート４５を取外した状態にある。植付作業の休止時、保管時は、スタンド杆３７を下げた使用位置に位置決め固定する。この状態では、スタンド杆３７の下端の接地プレート４１が接地して、植付装置９を支持する。接地プレート４１は、前後方向に比較的長く大きな接地面積を有しており、かつ４条植え田植機の左右の整地フロート１６ｌ，１６ｒの前方内側部分にて接地プレート４１，４１が接地して安定して植付装置９を支持する。
【００２４】
乗用田植機１の使用時は、図５に示すように、位置決め用ピン３３及び抜止め用ピン３５を抜いて、スタンド杆３７，３７を上方に移動する。接地プレート４１の立上り部４１ａが支持ブラケット３１に接触する上限位置付近にて、抜止め用ピン３５を下部抜止め用ピン孔３４（図４参照）に差込み、受け部３６で受ける。更に、位置決め用ピン３３を支持筒３２のピン孔及びスタンド杆３７の格納用ピン孔３８（図４参照）に差込む。これにより、スタンド杆３７は、上方位置である格納位置でかつ接地プレート４１が邪魔にならない前後方向に向く位置に位置決め固定され、格納される。
【００２５】
スタンド杆３７等のスタンド２２は、左右のプランタケース３０の前方部分で、中央フロート１６ｃと左右のフロート１６ｌ，１６ｒの間部分の隙間Ｃ部分に配置され、各種装置が込み入っている部分の狭いスペースを有効に利用して配置されている。スタンド杆３７を上昇した格納位置、下降した使用位置に移動する際、前後方向に所定長さの接地プレート４１が整地ローラ２１のカバー２１ａ等に干渉することがあるが、スタンド杆３７を回動することにより接地プレート４１をローラカバー２１ａとの干渉を避けて移動することができる。スタンド杆３７を下降した使用位置又は上昇した格納位置にあっては、抜止め用ピン３５が受け部３６で受けられる際、抜止め用ピン３５が受け部３６のＶ字溝に係合して、接地プレート４１の立上り部４１ａが内側で互いに対向する正規な位置に位置決めされる。
【００２６】
上記スタンド２２を乗用田植機に適用して説明したが、これに限らず、他の移植機にも同様に適用可能である。
【符号の説明】
【００２７】
１        移植機（乗用田植機）
５        走行機体
９        移植装置（植付装置）
２２        スタンド
２９，３０  フレーム体（横フレーム、プランタケース）
３１        支持ブラケット
３２        支持筒
３３        位置決め用ピン
３５        抜止め用ピン
３６        受け部
３７        スタンド杆
４１        接地プレート
４１ａ      立上り部
４５        連結プレート
【図１】
2019176843.tif 000003
【図２】
2019176843.tif 000004
【図３】
2019176843.tif 000005
【図４】
2019176843.tif 000006
【図５】
2019176843.tif 000007